(57)【要約】      （修正有）【課題】デジタルカメラをホルダ本体に収納した状態において、カメラのシャッターレリーズボタンを操作して、撮影を行えるカメラホルダを提供する。【解決手段】カメラホルダは、撮影レンズ５１及びストロボ５２を有するデジタルカメラ５０の前面を露呈させる開口２ｍを有し、デジタルカメラ５０を包み込んで保持する有底形状のホルダ本体２と、ホルダ本体２に設けられ、デジタルカメラ５０に設けられたシャッターレリーズボタン５３を外部に露出させる露呈部と、を具備している。【選択図】図２Ａ
0003196382.tif 000002
【実用新案登録請求の範囲】
【請求項１】
撮影レンズ及びストロボを有するデジタルカメラの前面を露呈させる開口を有し、前記デジタルカメラを包み込んで収納する有底形状のホルダ本体と、
前記ホルダ本体に設けられ、前記デジタルカメラに設けられたシャッターレリーズボタンを外部に露出させる露呈部と、
を具備することを特徴とするカメラホルダ。
【請求項２】
前記ホルダ本体に設けられ、該ホルダ本体に収納された前記デジタルカメラの前面上に配設されて該デジタルカメラを当該ホルダ本体の底面側に押圧して保持する保持部材を有することを特徴とする請求項１に記載のカメラホルダ。
【請求項３】
前記保持部材は、前記デジタルカメラの撮影レンズ及びストロボから回避して該デジタルカメラの前面上に配置されることを特徴とする請求項２に記載のカメラホルダ。
【請求項４】
前記ホルダ本体に設けられた前記保持部材を前記デジタルカメラの撮影レンズ及びストロボを遮ること無く前記デジタルカメラの前面上に配置させる位置規定部材を前記ホルダ本体に設けたことを特徴とする請求項２に記載のカメラホルダ。
【請求項５】
前記位置規定部材に、前記保持部材の配置位置の調整、及び、前記デジタルカメラを前記ホルダ本体の底面側に押圧する押圧量の調整を行う調整機構を設けたことを特徴とする請求項４に記載のカメラホルダ。
【請求項６】
前記位置規定部材に、前記保持部材の取り付け及び取り外しが自在な係止部を設けたことを特徴とする請求項５に記載のカメラホルダ。
【請求項７】
前記保持部材は、弾性を有する紐状部材であることを特徴とする請求項２−６の何れか１項に記載のカメラホルダ。
【請求項８】
前記調整機構は、
前記係止部が設けられる帯状部材と、
前記帯状部材の長さ調整を行うための帯調整部と、を有し、
前記帯調整部によって帯状部材の長さを調整して、前記保持部材が取り付けられる前記係止部の配置位置を調整することを特徴とする請求項７に記載のカメラホルダ。
【請求項９】
前記調整機構は、前記保持部材が挿通配置される挿通孔を雄部材及び雌部材の軸に対して直交する方向に有して前記雄部材が前記雌部材に対して摺動自在に配置されて構成された紐状部材留め具であることを特徴とする請求項７に記載のカメラホルダ。
【請求項１０】
前記ホルダ本体は、前記デジタルカメラの前面の反対側の面である背面を含む少なくとも四面を保持する保持部を有することを特徴とする請求項１に記載のカメラホルダ。
【請求項１１】
前記ホルダ本体、前記保持部材、前記位置規定部材、前記調整機構、及び前記係止部は、非金属材料で構成することを特徴とする請求項１−１０の何れか１項に記載のカメラホルダ
【考案の詳細な説明】
【技術分野】
【０００１】
本考案は、デジタルカメラを収納保持するカメラホルダに関する。
【背景技術】
【０００２】
デジタルカメラは、首、肩からぶら下げて、或いは、カバンに入れて簡単に持ち運べる。
【０００３】
デジタルカメラをぶら下げて持ち運ぶことによって、シャッターチャンスを逃がすことなく、撮影を行える。しかし、トレッキング、サイクリング等のスポーツを楽しむ場合、ぶら下げたカメラが揺れ動くことによってカメラを破損させる要因に成り得るとともに、安全な歩行、走行を妨げるおそれがある。
【０００４】
このため、これらスポーツを楽しむ際、カメラをウエストポーチ、或いは、ザックに収めて持ち運ぶことになる。  
【考案の概要】
【考案が解決しようとする課題】
【０００５】
しかしながら、例えば歩行中に、この景色を残しておきたいと思ったとき、カメラを取り出すのに手間取ってシャッターチャンスを逃がしてしまうおそれがある。また、撮影の度に、カメラの取り出し、カメラの収納を行っていると、これらの動作を煩わしく思うことがある。このため、デジタルカメラを取り出すこと無く、収納した状態において撮影が可能なカメラホルダが望まれている。
【０００６】
本考案は上記事情に鑑みてなされたものであり、デジタルカメラをホルダ本体に収納した状態において、カメラのシャッターレリーズボタンを操作して、撮影を行えるカメラホルダを提供することを目的としている。
【課題を解決するための手段】
【０００７】
本考案の一態様のカメラホルダは、撮影レンズ及びストロボを有するデジタルカメラの前面を露呈させる開口を有し、前記デジタルカメラを包み込んで収納する有底形状のホルダ本体と、前記ホルダ本体に設けられ、前記デジタルカメラに設けられたシャッターレリーズボタンを外部に露出させる露呈部と、を具備している。
【考案の効果】
【０００８】
本考案によれば、デジタルカメラをホルダ本体に収納した状態において、カメラのシャッターレリーズボタンを操作して、撮影を行えるカメラホルダを実現できる。
【図面の簡単な説明】
【０００９】
【図１】カメラホルダを説明する図
【図２Ａ】カメラホルダに撮影レンズが図中略中央に位置するカメラを収納保持した状態を示す正面図
【図２Ｂ】カメラホルダに撮影レンズが図中右上に位置するカメラを収納保持した状態、及びその調整機構の作用を説明する図
【図３】カメラホルダに図２Ｂのカメラが収納保持された状態を示す斜視図
【図４】カメラホルダにカメラが収納保持された状態における側面図であって、カメラホルダを下面保持部側から見た図
【図５】第２位置規定部材の構成、及びゴム紐と係止部との関係を説明する図
【図６】カメラをホルダ本体の収納空間に収納する手順を説明する図
【図７】ホルダ本体の収納空間に収納したカメラをゴム紐で押圧して保持するためにゴム紐を係止部に引っ掛ける手順を説明する図
【図８】ホルダ本体の収納空間に収納したカメラをゴム紐で押圧して保持するためにホルダ本体に設けられたワンタッチバックルを説明する図
【図９Ａ】帯状部材の長さを調整して係止部の位置を変更すること無く、調整機構によって調整されたゴム紐の押圧力でカメラがホルダ本体に押圧保持されている状態を説明する図
【図９Ｂ】ゴム紐の長さ調整を行ってゴム紐の押圧力を調整する調整機構を説明する図
【図９Ｃ】ホルダ本体に収納されたカメラがゴム紐によって収納保持状態である側面図
【図１０】ホルダ本体の背面保持部の表面に設けた複数のベルトを説明する図
【図１１Ａ】身に付けたザックの肩ベルトに取り付けられたカメラホルダのホルダ本体にカメラが収納保持されている状態を説明する図
【図１１Ｂ】ザックの肩ベルトに取り付けられたカメラホルダのホルダ本体からカメラを取り出した状態を説明する図
【図１１Ｃ】ズボンのベルトに取り付けられたカメラホルダのホルダ本体にカメラが収納保持されている状態を説明する図
【図１２Ａ】カメラを収納保持したカメラホルダのホルダ本体をカメラが縦向きになるようにザックの肩ベルトに取り付けた状態を示す図
【図１２Ｂ】カメラを収納保持したカメラホルダのホルダ本体をカメラが縦向きになるようにズボンのベルトに取り付けた状態を示す図
【考案を実施するための形態】
【００１０】
本考案に係るカメラホルダを図面を参照して説明する。  
なお、以下の説明に用いる各図においては、各構成要素を図面上で認識可能な程度の大きさとするため、構成要素毎に縮尺を異ならせてあるものであり、本考案は、これらの図に記載された構成要素の数量、構成要素の形状、構成要素の大きさの比率、及び各構成要素の相対的な位置関係のみに限定されるものではない。
【００１１】
図１に示すようにカメラホルダ１は、開口２ｍを有するホルダ本体２と、保持部材３と、位置規定部材４、５を有する。  
ホルダ本体２は、有底形状であって、デジタルカメラ（以下、カメラと略記する）５０を収納するための収納空間２Ｓを有する。
【００１２】
ホルダ本体２の収納空間２Ｓには、図２Ａに示すように撮影レンズ５１が図中略中央に位置して、ストロボ５２が図中右上に位置するカメラ５０、或いは、図２Ｂに示すように撮影レンズ５１が図中右上に位置して、ストロボ５２が図中中央上に位置するカメラ５０等が収納される。
【００１３】
なお、図２Ａ、図２Ｂ、図３に示すように本実施形態のカメラ５０は、撮影レンズ５１及びストロボ５２が配設されている面を前面と記載（カメラ前面とも記載する）し、前面の反対側の面を背面と記載する。また、操作部材のうちシャッターレリーズボタン５３が配設されている面を上面と記載し、上面の反対側の面を下面と記載する。さらに、カメラ通常使用状態における両側に配置される面を左側面及び右側面と記載する。この場合における左右の判別は、被写体側からカメラ５０の前面に向かって見たときの左側を左側面、右側を右側面として区別する。
【００１４】
図１−図３に示すようにホルダ本体２は、開口２ｍを有し、開口２ｍは収納空間２Ｓに収納されたカメラ５０の前面全体を露呈させる。  
ホルダ本体２は、カメラ５０の背面を保持する背面保持面２１を有する背面保持部２Ｂと、上面を保持する上面保持面２２を有する上面保持部２Ｕと、下面を保持する下面保持面２３を有する下面保持部２Ｄと、右側面を保持する右側面保持面２４を有する右側面保持部２Ｒと、左側面を保持する左側面保持面２５を有する左側面保持部２Ｌと、を有する。背面保持面２１は、ホルダ本体２の底面である。
【００１５】
ホルダ本体２の上面保持部２Ｕには露呈部２２ａが設けられている。露呈部２２ａは、カメラ５０の上面に設けられた操作部材のうち少なくともシャッターレリーズボタン５３を外部に露出させる切欠である。切欠の形状は、シャッターレリーズボタン５３のボタン形状等を考慮して予め定めた形状に形成される。
【００１６】
本実施形態の露呈部２２ａにおいては、シャッターレリーズボタン５３に加えて、電源ボタン（図３の符号５４参照）、ズームレバー（図３の符号５５参照）等の操作部材が外部に露出されるように形成してある。
【００１７】
この構成によれば、図３に示すようにカメラ５０をホルダ本体２に収納した状態において、シャッターレリーズボタン５３、電源ボタン５４、ズームレバ５５が露呈部２２ａに配置されて、外部に対して露出される。言い替えれば、ホルダ本体２にカメラ５０を収納した状態において、シャッターレリーズボタン５３の操作、電源ボタン５４の操作、及びズームレバ５５の操作が可能である。
【００１８】
なお、本実施形態において、収納空間２Ｓを構成する各保持部の背面保持面２１からの高さは、カメラ５０の厚みを考慮して予め定めた高さに設定される。  
また、本実施形態において、ホルダ本体２の左側面保持部２Ｌの高さを露呈部２２ａの高さに合わせている。したがって、左側面保持部２Ｌの高さは、右側面保持部２Ｒの高さより低くなっている。
【００１９】
また、本実施形態において、下面保持部２Ｄの左側面保持部２Ｌ側に切欠を設けている。この切欠は、デザイン性を考慮して形成したものであるが、カメラ下面に設けられた三脚用ネジを外部に露出させための切欠と利用することも可能である。  
切欠を設ける代わりに丸孔、長孔を下面保持部２Ｄに設けて三脚用ネジを外部に露出させるようにしてもよい。
【００２０】
図１に示すように保持部材３は、例えば、弾性を有する紐状部材、いわゆるゴム紐３１であり、、輪状に形成される。ゴム紐３１は、ゴム紐保持部材３２によってホルダ本体２の予め定めた位置に設けられ、ゴム紐３１の一部は収納空間２Ｓ上を横切るように配置される。
【００２１】
図１−図４に示すようにゴム紐保持部材３２は、上面保持部２Ｕ及び下面保持部２Ｄの予め定めた位置に配置されて例えば縫い付けて一体に固設される。上面保持部２Ｕ及び下面保持部２Ｄに固定されたそれぞれのゴム紐保持部材３２にはゴム紐３１が挿通する挿通孔３２ｈが設けられており、挿通孔３２ｈ内にはゴム紐３１が挿通配置されている。
【００２２】
位置規定部材４、５は、収納空間２Ｓ上を横切るゴム紐３１が図２Ａ、図２Ｂ及び図３に示すようにカメラ５０の撮影レンズ５１及びストロボ５２の有効光線を遮ることが無いように、該ゴム紐３１を撮影レンズ５１及びストロボ５２から回避させてカメラの前面上に配置させる。
【００２３】
第１位置規定部材４は、予め定めた幅寸法及び長さ寸法に設定された例えば帯状部材である。第１位置規定部材４の一端側は、図４に示すように右側面保持部２Ｒ及び背面保持部２Ｂに配置され、縫い付けて一体に固設される。第１位置規定部材４の他端側にはゴム紐３１が挿通する挿通孔４ｈが形成されており、挿通孔４ｈ内にはゴム紐３１が挿通配置されている。
【００２４】
ゴム紐３１が挿通孔４ｈ内に配置された第１位置規定部材４を予め定めた位置に固設する。この結果、ゴム紐３１は、図２Ａ、図２Ｂ、図３に示すようにカメラ５０の撮影レンズ５１の有効光線を遮ることが無いように該カメラ５０の前面上に配置される。
【００２５】
第２位置規定部材５は、調整機構を兼ね、図１−図５に示すように第２位置規定部材５は、帯状部材５ａと、係止部５ｂと、面ファスナ５ｃと、を設けて構成されている。  
帯状部材５ａの一端側は、左側面保持部２Ｌ及び背面保持部２Ｂに配置され、縫い付けて一体に固設される。係止部５ｂは、いわゆる、フックであり、予め定めた幅寸法に設定されており、側面形状は略Ｕ字形状である。符号５ｂ１は係止凹部であり、該凹部内にゴム紐３１が配置される。  
係止部５ｂには図示しないスリットが設けられており、該スリットに帯状部材５ａが摺動自在に挿通配置されている。
【００２６】
符号６は、把持部材であって、例えば帯状部材である。把持部材６の一端部及び中途部は、ユーザーの手指によって把持される部分である。把持部材６の他端側には挿通孔６ｈが設けられ、挿通孔６ｈ内にはゴム紐３１が挿通配置されている。
【００２７】
本実施形態において、把持部材６の一端側を把持してゴム紐３１を弾性力に抗して図５の矢印Ｙ５方向に引っ張っていくことによって、挿通孔６ｈに挿通配置されたゴム紐３１を係止部５ｂの係止凹部５ｂ１内に配置することができる。
【００２８】
なお、ゴム紐３１が係止部５ｂの係止凹部５ｂ１内に配置されている状態のとき、把持部材６の一端側を把持してゴム紐３１を弾性力に抗して図４の矢印Ｙ４方向に引っ張っていくことによって、係止凹部５ｂ１内からゴム紐３１を取り外すことができる。
【００２９】
ゴム紐３１が係止凹部５ｂ１内に配置されることによって、図２Ａ、図２Ｂ、図３に示すようにカメラ５０の撮影レンズ５１のの有効光線を遮ることが無いように該カメラ５０の前面上に配置される。このとき、カメラ５０は、ゴム紐３１の有するホルダ本体２の背面保持面２１側に押圧する弾性力をカメラ前面に受けることによってホルダ本体２内に収納保持される。
【００３０】
すなわち、ゴム紐３１が係止部５ｂの係止凹部５ｂ１内に配置されているときは、カメラ５０をホルダ本体２に収納保持可能なカメラ収納保持状態である。これに対して、ゴム紐３１が係止部５ｂの係止凹部５ｂ１から取り外されているときは、カメラ５０をホルダ本体２内に収納する、或いは、ホルダ本体２内からカメラ５０を取り出すことが可能なカメラ取り付け取り出し状態である。
【００３１】
図４及び図５に示すように帯状部材５ａには帯の長さ調整を行う帯調整部としての面ファスナ５ｃが設けられている。面ファスナ５ｃは、フック側５ｃ１及びループ側５ｃ２を有し、それぞれ帯状部材５ａの予め定めた位置に設けられている。  
本実施形態において、ループ側５ｃ２の長さをフック側５ｃ１の長さより長く設定してある。
【００３２】
帯状部材５ａは、フック側５ｃ１とループ側５ｃ２との結合位置を適宜変更することによって帯状部材５ａの折り返し位置を調整して図２Ｂに示すように係止部５ｂの配置位置を二点鎖線の位置、実線の位置等に調整可能にする。
【００３３】
この構成によれば、図２Ａに示すようにホルダ本体２に収納されたカメラ５０が中央に撮影レンズ５１を備え、右上にストロボ５２を備える場合、ゴム紐３１を係止部５ｂの係止凹部５ｂ１に配置した状態において、カメラ５０の撮影レンズ５１及びストロボ５２の有効光線が該ゴム紐３１によって遮ること無く、カメラ５０の前面上に配置させることができる。
【００３４】
これに対して、図２Ｂに示すようにホルダ本体２に収納されたカメラ５０が撮影レンズ５１を右上に備え、ストロボ５２を中央上に備える場合、ゴム紐３１を係止部５ｂの係止凹部５ｂ１に配置した状態において、二点鎖線に示すようにストロボ５２の有効光線がゴム紐３１によって遮られる。
【００３５】
このような場合、係止部５ｂの配置位置を二点鎖線に示す位置から実線に示す位置に移動させていくことによって、ゴム紐３１をストロボ５２の有効光線を遮ることの無い位置に移動することができる。
【００３６】
すなわち、ゴム紐３１がストロボ５２の有効光線を遮っていた場合、帯状部材５ａに設けられているフック側５ｃ１とループ側５ｃ２との結合を解除して、帯状部材５ａの他端部を手の指で把持してゴム紐３１の付勢力に抗して係止部５ｂをＹ軸に平行な矢印Ｙ２Ｂ方向に移動させる。
【００３７】
すると、ゴム紐３１は、係止部５ｂの移動に伴ってストロボ５２から徐々に移動されてストロボ５２の有効光線を遮ることが無い状態に変化する。ここで、再び、フック側５ｃ１とループ側５ｃ２とを結合することによって、係止部５ｂが移動した位置に保持される。
【００３８】
また、カメラ５０をホルダ本体２の背面保持面２１側に押圧する弾性力を高める場合、上述と同様に帯状部材５ａの他端部を手の指で把持して係止部５ｂを矢印Ｙ２Ｂ方向に移動させる。この結果、ゴム紐３１がストロボ５２の有効光線を遮ることを防止しつつ、ゴム紐３１によってカメラ５０の前面を背面保持面２１側に更に強く押圧してより安定した収納保持状態を得ることができる。
【００３９】
ここで、カメラ５０のホルダ本体２の収納空間２Ｓへの収納保持について説明する。  
カメラ５０をカメラホルダ１のホルダ本体２に収納保持させる際、図６に示すように予め、ゴム紐３１を係止部５ｂから取り外しておく。そして、この状態で、矢印に示すようにカメラ５０を収納空間２Ｓに向けて収納していく。
【００４０】
このとき、カメラ５０を左側面保持部２Ｌ側から収納空間２Ｓ内に導き、その後、ホルダ本体２に掛け渡されたゴム紐３１と背面保持面２１との隙間に配置させる。そして、カメラ５０を矢印に示すように右側面保持面２４に向けて移動させていく。この結果、ホルダ本体２の収納空間２Ｓ内にカメラ５０が収納される。
【００４１】
ホルダ本体２の収納空間２Ｓ内にカメラ５０が収納された状態において、把持部材６の一端側を把持して図７の矢印Ｙ７ａに示すようにゴム紐３１を弾性力に抗して引っ張り上げていく。その後、矢印Ｙ７ｂに示すように把持部材６の挿通孔６ｈに挿通配置されているゴム紐３１を係止部５ｂの係止凹部５ｂ１内に配置する。この結果、図３に示したようにカメラ５０がホルダ本体２の収納空間２Ｓ内に収納保持された状態になる。  
すなわち、カメラ５０は、カメラホルダ１に安定して収納保持される。
【００４２】
このように、収納空間２Ｓを有するホルダ本体２の予め定めた保持部に予め定めた状態にゴム紐保持部材３２、第１位置規定部材４、及び調整機構を兼ねる第２位置規定部材５を設けて収納空間２Ｓ上にゴム紐３１を掛け渡している。  
この結果、収納空間２Ｓ上を横切るように掛け渡されているゴム紐３１をカメラ５０の撮影レンズ５１及びストロボ５２の有効光線を遮ることが無いようにカメラ前面上に配置することができる。
【００４３】
また、第２位置規定部材５を帯状部材５ａ、係止部５ｂ、及び面ファスナ５ｃを設けて調整機構を兼ねるよう構成したことによって、上述したように帯状部材５ａの長さ調整を行って係止部５ｂの配置位置を適宜設定することができる。  
この結果、カメラ５０をホルダ本体２の背面保持面２１側に押圧する弾性力を高く設定して安定した収納保持力を得ることができると共に、ゴム紐３１のカメラ５０の前面における配置位置を調整してゴム紐３１によって撮影レンズ５１及びストロボ５２の有効光線が遮ぎられることを確実に防止することができる。
【００４４】
さらに、ゴム紐３１が経年劣化等によって伸びで弾性力が低下した場合であっても、上述した調整によって伸びによる不具合を解消する対応が可能である。
【００４５】
なお、撮影レンズ５１及びストロボ５２の有効光線が遮られることを防止すると共に、ＡＦ用の補助光の光線、セルフタイマーランプの光線、リモコン受光用の光線をも遮らないようにすることによってより良好な操作性を得られる。
【００４６】
また、ゴム紐３１が撮影レンズ５１及びストロボ５２の有効光線を遮ることを防止しつつ、ゴム紐３１によってカメラ５０の前面を背面保持面２１側に更に強く押圧して保持することができるので、ホルダ本体２の収納空間２Ｓ内に収まるものであれば、多少形状が異なる、或いは、撮影レンズの配置位置或いはストロボ５２の配置位置等が異なる複数種類のカメラであっても共通使用が可能である。
【００４７】
さらに、ゴム紐３１に把持部材６を設け、第２位置規定部材５に係止凹部５ｂ１を有する係止部５ｂを設けている。  
この結果、把持部材６を把持して、ゴム紐３１を係止凹部５ｂ１内に配置したカメラ収納保持状態、或いは、係止凹部５ｂ１内に配置されたゴム紐３１を該凹部５ｂ１内から取り外したカメラ取り付け取り出し状態を容易に得ることができる。  
そして、把持部材６の大きさを大きく形成することによって、アウトドア用の手袋をしたままでのカメラの出し入れが可能になる。
【００４８】
なお、上述した実施形態においては、帯状部材５ａの帯の長さ調整を行うため、帯状部材５ａに面ファスナ５ｃを構成するフック側５ｃ１及びループ側５ｃ２を設けるとしている。しかし、帯状部材５ａの帯長さ調整は、面ファスナ５ｃに限定されるものでは無く、スナップボタン等の着脱部材であってもよい。
【００４９】
また、上述した実施形態においては、ゴム紐３１を係止部５ｂの係止凹部５ｂ１内に配置することによってカメラ収納保持状態となり、係止凹部５ｂ１からゴム紐３１が取り外されていることによってカメラ取付取り出し状態となるようにしている。しかし、図８に示すようにワンタッチバックル７を設けてカメラ収納保持状態とカメラ取り付け取り出し状態とを得られるようにしてもよい。  
以下の説明において、上述した実施形態と同部材には同符号を付して説明を省略する。
【００５０】
図８に示すように調整機構を兼ねる第２位置規定部材５は、帯状部材５ａと、ワンタッチバックル７の雄部７ａと、面ファスナ５ｃと、を設けて構成されている。  
雄部７ａは、係止部であって後述する雌部７ｂに係入配置されるように予め定めた形状で形成されている。雄部７ａにはスリット７ｃが設けられており、該スリット７ｃには帯状部材５ａが摺動自在に挿通配置されている。
【００５１】
符号７ｂは、雌部であってワンタッチバックル７の被係止部である。雌部７ｂには板部材７ｄが設けられており、板部材７ｄにはゴム紐３１が挿通配置される一対の貫通孔７ｅが端面７ｆに沿って平行に配置されている。
【００５２】
本実施形態において、雄部７ａの弾性突起７ｇを雌部７ｂの案内孔７ｈ内に挿入して矢印Ｙ８方向に移動させていく。このことによって、案内孔７ｈを通過した弾性突起７ｇの凸部７ｇ１が雌部７ｂの係止部７ｊに配置されてワンタッチバックル７が結合状態になって、カメラ収納保持状態を得られる。
【００５３】
一方、カメラ収納保持状態からカメラ取り付け取り出し状態にする場合、係止部７ｊに配置された弾性突起７ｇを弾性力に抗して変形させつつ、凸部７ｇ１を案内孔７ｈ内に挿入して矢印Ｙ８と反対の方向に移動させていく。このことによって、弾性突起７ｇが凸部案内孔７ｈを通過してワンタッチバックル７による結合状態が解除されてカメラ取り付け取り出し状態を得られる。
【００５４】
このように、ゴム紐３１にワンタッチバックル７の雌部７ｂを設け、第２位置規定部材５にワンタッチバックル７の雄部７ａを設けることによって、上述したようにカメラ収納保持状態、及びカメラ取り付け取り出し状態を容易に得ることができる。  
なお、本実施形態において、帯状部材５ａの一端側は、背面保持部２Ｂに配置されており、縫い付けて一体に固設してある。
【００５５】
また、本実施形態においては、左側面保持部２Ｌを設けること無く、帯状部材５ａに左側面保持部２Ｌの機能を持たせている。言い替えれば、ホルダ本体２は、背面保持部２Ｂと、上面保持部２Ｕと、下面保持部２Ｄと、右側面保持部２Ｒと、を有する。したがって、ホルダ本体２は、カメラ５０の前面全体を露呈させる開口２ｍに加えて、カメラ５０の左側面全体を露呈させる第２開口２ｍＬを有する。
【００５６】
この構成によれば、カメラ５０をホルダ本体２に収納保持させる際、ワンタッチバックル７をカメラ取り付け取り出し状態にしておく。そして、この状態で、カメラ５０を収納空間２Ｓに向けて収納していく。
【００５７】
このとき、カメラ５０を第２開口２ｍＬから収納空間２Ｓの背面保持面２１上に配置し、該背面保持面２１とホルダ本体２に掛け渡されたゴム紐３１との隙間を通してカメラ５０を右側面保持面２４に向けて移動させることによって収納空間２Ｓ内に収納される。この後、ワンタッチバックル７をカメラ収納保持状態にすることによって、カメラ５０がホルダ本体２の収納空間２Ｓ内に収納保持された状態になる。
【００５８】
このように、ホルダ本体２は、カメラ５０の背面、上面、下面、及び右側面を保持する、少なくとも背面保持面２１、上面保持面２２、下面保持面２３、及び右側面保持面２４の四面を有する構成であってもよい。
【００５９】
上述した実施形態においては、カメラ５０をホルダ本体２の背面保持面２１側に押圧する弾性力を高める際、帯状部材５ａの長さ調整を行って係止部５ｂの位置を変更して調整するとしている。  
しかし、図９Ａ−図９Ｃに示すように構成して帯状部材５ａの長さ調整を行うこと無く、カメラ５０をホルダ本体２の背面保持面２１側に押圧するゴム紐３１の押圧力を調整するようにしてもよい。  
以下の説明において、上述した実施形態と同部材には同符号を付して説明を省略する。
【００６０】
図９Ａ−図９Ｃに示すゴム紐３１は、紐状部材留め具であって調整機構であるいわゆるコードロック８で該紐３１の両端部を固定して輪状に形成される。ゴム紐３１の両端部は、それぞれコードロック８の雄部８ａ及び雌部８ｂに形成されている軸方向に直交する直交貫通孔を通過してつまみ部材８ｃに一体に固定されている。
【００６１】
なお、雄部８ａは、雌部８ｂが有する軸方向穴（不図示）に摺動自在に配置され、コイルスプリング（弾性部材）によって軸方向穴の開口外方に向けて付勢されている。
【００６２】
ゴム紐保持部材３２によって収納空間２Ｓ上を横切るように配置されたゴム紐３１の一部は、位置規定部材４Ｂ、５Ｂによって図９Ａに示すようにカメラ５０の撮影レンズ５１及びストロボ５２の有効光線を遮ることが無いように、カメラ前面上に配置される。
【００６３】
図９Ａ、図９Ｂに示すように第１位置規定部材４Ｂは、予め定めた幅寸法及び長さ寸法に設定された帯状部材４Ｂａと、板部材４Ｂｂとを備える。帯状部材４Ｂａの一端側は右側面保持部２Ｒ及び背面保持部２Ｂに配置され、縫い付けて一体に固設されている。帯状部材４Ｂａの他端側には板部材４Ｂｂが固設されている。
【００６４】
帯状部材４Ｂａの他端側に設けられた板部材４Ｂｂには一対の貫通孔４Ｂｃが設けられている。一対の貫通孔４Ｂｃは、端面４Ｂｄに沿って平行に配置されている。２つの貫通孔４Ｂｃに挿通配置されたゴム紐３１は端面４Ｂｅに沿うように配置される。
【００６５】
なお、板部材４Ｂｂには帯状部材４Ｂａの他端部が挿通されるスリット４Ｂｅが設けられている。帯状部材４Ｂａの他端部は、スリット４Ｂｅを通過した後、帯状部材４Ｂに縫い付けられている。
【００６６】
予め定めた位置に固設された第１位置規定部材４Ｂの貫通孔４Ｂｃに挿通配置されたゴム紐３１は、図９Ａに示すようにカメラ５０の撮影レンズ５１の有効光線を遮ること無く該カメラ５０の前面上に配置される。
【００６７】
なお、図９Ｃに示すように２つの貫通孔４Ｂｈを端面４Ｂｆに沿って平行に設けことによって、ゴム紐３１が第１位置規定部材４Ｂのカメラ前面に当接して配置される。この結果、第１位置規定部材４Ｂが直接カメラ前面に当接することが防止される。
【００６８】
調整機構を兼ねる第２位置規定部材５Ｂは、図９Ａ、図９Ｂに示すように帯状部材５ａと、係止部５ｄと、面ファスナ５ｃと、を設けて構成されている。  
係止部５ｄには、係止凹部５ｂ１に加えてコードロック係止部５ｄ１を備えている。コードロック係止部５ｄ１は、半円形状凹部であってコードロック８の雌部８ｂが配置される。その他の構成は上述した係止部５ｂと同様である。  
なお、本実施形態において、帯状部材５ａの一端側は、背面保持部２Ｂに配置され、縫い付けて一体に固設されている。
【００６９】
本実施形態においてゴム紐３１は、コードロック８のつまみ部材８ｃを把持して該ゴム紐３１を弾性力に抗して引っ張っていくことによって、係止部５ｂの係止凹部５ｂ１内に配置すること及びコードロック８の雌部８ｂをコードロック係止部５ｄ１内に配置することができる。
【００７０】
ゴム紐３１を係止凹部５ｂ１内に配置すると共に、雌部８ｂをコードロック係止部５ｄ１内に配置した状態において、ゴム紐３１は、図９Ａに示すようにカメラ５０のストロボ５２の有効光線を遮ることが無いように該カメラ５０の前面上に配置される。
【００７１】
本実施形態においては、この配置状態においてゴム紐３１によるカメラ５０をホルダ本体２の背面保持面２１側に押圧する弾性力を高めて安定した保持力を得ようとする場合、係止部５ｄの位置を変更すること無く、ゴム紐３１の長さを調整する。
【００７２】
すなわち、ゴム紐３１の長さ調整を行うため、雄部８ａをコイルスプリングの付勢力に抗して押し下げ、雄部８ａ及び雌部８ｂの直交貫通孔を同軸線上に配置させ、つまみ部材８ｃ図９Ｂの矢印Ｙ９Ｂ方向に引っ張ってゴム紐３１の雌部８ｂ外周面からの延出長さを調整して、輪の外周長さを短くする。  
この結果、コードロック８の雌部８ｂをコードロック係止部５ｄ１内に配置した状態おけるゴム紐３１の有する弾性力が増大される。
【００７３】
したがって、ゴム紐３１の配置位置を変えること無く、カメラ５０の前面をゴム紐３１の増強された弾性力によって押圧してカメラ５０を背面保持面２１側に押し付けて安定した収納保持状態を得ることができる。  
その他の作用及び効果は上述した実施形態と同様である。
【００７４】
なお、上述した実施形態おいて上面保持部２Ｕ及び下面保持部２Ｄに２つのゴム紐保持部材３２を設けるとしている。しかし、上面保持部２Ｕ及び下面保持部２Ｄに設けるゴム紐保持部材３２の数は、２つに限定されるものでは無くそれ以下、それ以上であってもよい。そして、１つ設ける場合、ゴム紐保持部材３２の長さは撮影レンズ５１及びストロボ５２の有効光線を考慮して適宜設定される。
【００７５】
また、上述した実施形態おいては、位置規定部材４、５を設けてカメラ５０の前面に配置されるゴム紐３１が撮影レンズ５１及びストロボ５２の有効光線を遮ることが無いようにしている。しかし、位置規定部材４、５を設けること無く、上面保持部２Ｕ及び下面保持部２Ｄに設けるゴム紐保持部材３２の配置位置を調整して、或いは、ゴム紐保持部材３２を上面保持部２Ｕ及び下面保持部２Ｄに加えて右側面保持部２Ｒ、左側面保持部２Ｌに設けて、ゴム紐３１を撮影レンズ５１及びストロボ５２の有効光線を遮ることが無いようにカメラ５０の前面に配置させるようにしてもよい。  
【００７６】
この構成においては、左側面保持部２Ｌの高さを例えば右側面保持部２Ｒの高さと略同等に設定することによって安定して収納及び収納保持状態を得られる。
【００７７】
また、第１の位置規定部材４の代わりに右側面保持部２Ｒに第２の位置規定部材５を設けて、ゴム紐３１の位置調整を行えるようにしてもよい。この構成において、紐状部材３は、ゴム紐３１に限定されるものでは無く、弾性変形しない紐であってもよい。  
【００７８】
これとは逆に、第２の位置規定部材５の代わりに左側面保持部２Ｌに第１の位置規定部材４を設けて、上述したようにゴム紐３１を撮影レンズ５１及びストロボ５２の有効光線を遮ることが無いようにカメラ５０の前面に配置させるようにしてもよい。
【００７９】
図１０に示すようにホルダ本体２の背面保持部２Ｂの底面の反対面である表面２６には、一対の第１ベルト２７及び１つの第２ベルト２８が配置され、例えば縫い付けて一体に固設されている。  
なお、以下の説明において、一対の第１ベルト２７のうち一方を右ベルト２７Ｒ、他方を左ベルト２７Ｌと記載する。
【００８０】
本実施形態において、第２ベルト２８は、ホルダ本体２の長手方向に沿って設けられ、第１ベルト２７は第２ベルト２８に対してそれぞれ直交して並設されている。
【００８１】
第１ベルト２７の一方である右ベルト２７Ｒの一端側表面には面ファスナ２９のフック側２９ｆが設けられ、他端側裏面には面ファスナ２９のループ側２９ｒが設けられている。そして、中央表面には面ファスナ２９のフック側２９ｆが設けられている。
【００８２】
第１ベルト２７の他方である左ベルト２７Ｌの一端側表面には面ファスナ２９のフック側２９ｆが設けられ、他端側裏面には面ファスナ２９のループ側２９ｒが設けられている。そして、中央表面には第２ベルト２８の一端側が固設されている。
【００８３】
第２ベルト２８の他端側裏面には、右ベルト２７Ｒの中央表面に設けられたループ側２９ｒに対応する面ファスナ２９のフック側２９ｆが設けられている。
【００８４】
上述したようにホルダ本体２の背面保持部２Ｂの表面２６に右ベルト２７Ｒ、左ベルト２７Ｌ、及び第２ベルト２８を設けたことによって、カメラ５０を収納保持可能に構成したホルダ本体２を有するカメラホルダ１を以下に示すように身に付けることができる。
【００８５】
図１１Ａは、身に付けたザック６０の肩ベルト６１にカメラホルダ１を取り付けた状態である。  
カメラホルダ１は、ホルダ本体２の背面保持部２Ｂの表面２６を肩ベルト６１の表面に配置した状態で、第２ベルト２８を肩ベルト６１の裏面側に配置したうえで、該第２ベルト２８に設けられているループ側２９ｒを右ベルト２７Ｒの中央表面に設けらたフック側２９ｆに結合して、肩ベルト６１に挟持配置されている。
【００８６】
なお、符号５６はカラビナである。カラビナ５６は、カメラホルダ１ザック６０から脱落することを防止するため、肩ベルト６１に設けられた吊り具６２、及び、ホルダ本体１に設けられた止め輪２ａに通されている。
【００８７】
このように、カメラホルダ１をザック６０の肩ベルト６１に取り付けることによって、カメラ５０を首、肩等からぶら下げること無く、身に付けて持ち運べる。このため、カメラ５０を身に付けたままの状態で図中の破線に示すようにカメラ５０のシャッターレリーズボタン５３を操作してシャッターチャンスを逃がすことなく撮影を行える。
【００８８】
また、ユーザーが必要に応じて収納保持状態を取り付け取り外し状態にすることによって、肩ベルト６１に取り付けられているカメラホルダ１からカメラ５０を取り出して、図１１Ｂに示すようにカメラ５０を手に持って撮影を行える。符号５７は、カールコードタイプのストラップであり、ストラップ５７の一方の端部がカメラ５０に取り付けられ、他方の端部がカラビナ５６に取り付けられている。
【００８９】
なお、図１１Ｃに示すようにカメラホルダ１をズボンのベルト６５に取り付けることも可能である。この場合、カメラホルダ１は、ホルダ本体２の背面保持部２Ｂの表面２６をベルト６５の表面に配置した状態で、右ベルト２７Ｒ及び左ベルト２７Ｌをベルト６５の裏面側に配置した上で、該それぞれのベルト２７Ｒ、２７Ｌに設けられているループ側２９ｒをそれぞれのベルト２７Ｒ、２７Ｌに設けられているフック側２９ｆに結合して、ベルト６５に挟持保持されている。
【００９０】
この結果、カメラホルダ１をザック６０の肩ベルト６１に取り付けたときと略同様にカメラ５０を身に付けて持ち運べるとともに、身に付けた状態でシャッターレリーズボタン５３を操作してシャッターチャンスを逃がすことなく撮影を行える。
【００９１】
また、ユーザーが必要に応じて収納保持状態を取り付け取り外し状態にすることによって、カメラホルダ１からカメラ５０を取り出して、カメラ５０を手に持って撮影を行える。
【００９２】
また、上述したカメラホルダ取り付け例においては、カメラ５０を横向きにしている。しかし、カメラ５０が縦向きになるようにカメラホルダ１を図１２Ａ、図１２Ｂに示すようにザック６０の肩ベルト６１、或いは、ベルト６５に取り付けるようにしてもよい。
【００９３】
図１２Ａにおいてカメラホルダ１は、ホルダ本体２の背面保持部２Ｂの表面２６を肩ベルト６１の表面に配置した状態で、右ベルト２７Ｒ及び左ベルト２７Ｌを肩ベルト６１の裏面側に配置した上で、該それぞれのベルト２７Ｒ、２７Ｌに設けられているループ側２９ｒをそれぞれのベルト２７Ｒ、２７Ｌに設けられているフック側２９ｆに結合して、肩ベルト６１に挟持保持されている。  
このことにより、カメラ５０が縦向きになるようにカメラホルダ１をザック６０の肩ベルト６１に取り付けて身に付けることができる。
【００９４】
一方、図１２Ｂにおいてカメラホルダ１は、ホルダ本体２の背面保持部２Ｂの表面２６をベルト６５の表面に配置した状態で、第２ベルト２８をベルト６５の裏面側に配置したうえで、該第２ベルト２８に設けられているループ側２９ｒを右ベルト２７Ｒの中央表面に設けらたフック側２９ｆに結合して、ベルト６５に挟持配置されている。  
このことにより、カメラ５０が縦向きになるようにカメラホルダ１をベルト６５に取り付けて身に付けることができる。
【００９５】
なお、上述したカメラホルダ１においては、ホルダ本体２、保持部材３、第１位置規定部材４、及び調整機構を兼ねる第２位置規定部材５を、金属部品を一切使うこと無く、つまり非金属材料で構成することにより、以下の効果を得ることができる。  
水中で使用した場合、或いは、水洗いした場合でも錆びることがない。また、カメラ５０が、Ｗｉ−Ｆｉ等の無線通信機能、或いは、ＧＰＳ等の電波受信機能を備える場合、通信機能及び受信機能に悪影響を与えることがない。
【符号の説明】
【００９６】
１…カメラホルダ  
２…ホルダ本体  
２Ｓ…収納空間  
３…紐状部材  
４…第１位置規定部材
５…第２位置規定部材  
３１…ゴム紐
５０…デジタルカメラ
５１…撮影レンズ
５２…ストロボ
【図１】
0003196382.tif 000003
【図２Ａ】
0003196382.tif 000004
【図２Ｂ】
0003196382.tif 000005
【図３】
0003196382.tif 000006
【図４】
0003196382.tif 000007
【図５】
0003196382.tif 000008
【図６】
0003196382.tif 000009
【図７】
0003196382.tif 000010
【図８】
0003196382.tif 000011
【図９Ａ】
0003196382.tif 000012
【図９Ｂ】
0003196382.tif 000013
【図９Ｃ】
0003196382.tif 000014
【図１０】
0003196382.tif 000015
【図１１Ａ】
0003196382.tif 000016
【図１１Ｂ】
0003196382.tif 000017
【図１１Ｃ】
0003196382.tif 000018
【図１２Ａ】
0003196382.tif 000019
【図１２Ｂ】
0003196382.tif 000020